(57)【特許請求の範囲】
【請求項１】
電子部品を搭載した制御基板を基板ボックスに収納した制御装置を備える遊技機において、
前記基板ボックスは、
第１ボックス構成部材と、第２ボックス構成部材と、前記第１ボックス構成部材及び前記第２ボックス構成部材を固着するかしめ手段と、を備え、
前記かしめ手段は、
前記第１ボックス構成部材に設けられたかしめ用孔と、
前記第２ボックス構成部材に設けられたかしめ用穴と、
前記かしめ用孔及び前記かしめ用穴に挿入されるかしめ部材と、を備え、
前記かしめ部材は、ピンと、当該ピンが挿入されることで拡開する拡開部材と、を備え、
前記ピンは、ピン本体部と、当該ピン本体部の挿入方向後側の端部に設けられるピン拡開部と、を備え、
前記拡開部材には、前記ピンが挿入されるピン挿入穴が設けられ、
当該ピン挿入穴に前記ピンが挿入されることで拡開して前記かしめ用孔及び前記かしめ用穴の内面に止着される止着拡開部と、
当該止着拡開部の前記ピンの挿入方向後側に設けられる開口形成部と、を備え、
前記ピン拡開部は、当該ピンの後端面から挿入方向に沿って略十字状に切り込みが設けられることで形成されたピン拡開構成部を備え、
前記ピン挿入穴は、
当該拡開部材の開口形成部の後端面に形成された開口部と、
当該開口部に連続して形成されて前記ピンが完全に挿入されることで、拡開した前記ピン拡開部と係合する係合凹部と、
当該係合凹部に連続して形成されて前記ピンが完全に挿入されることで前記ピン本体部を収納可能なピン収納部と、を具備し、
前記止着拡開部は、
当該止着拡開部の先端面から軸方向に沿って略十字状に切り込みが設けられることで形成された止着拡開構成部と、
当該止着拡開構成部の外面に、前記かしめ用孔及び前記かしめ用穴の内面に止着される鍔が少なくとも一つ形成された鍔形成部と、を具備し、
前記第１ボックス構成部材と前記第２ボックス構成部材とを接合した状態で、前記かしめ用孔及び前記かしめ用穴に前記かしめ部材を挿入し、
前記ピンを前記拡開部材のピン挿入穴に押し込むことにより、前記止着拡開構成部が互いの隙間を大きくするように離れて拡開することで、前記鍔形成部が前記かしめ用孔及び前記かしめ用穴の内面に止着される第１止着状態をなし、
当該第１止着状態から前記ピンをさらに前記拡開部材のピン挿入穴に押し込むと、当該ピンのピン拡開構成部が前記ピン挿入穴の開口部により縮径され、
さらに前記ピンを前記拡開部材のピン挿入穴に押し込んで、当該ピンのピン本体部が完全に前記ピン挿入穴のピン収納部に収納されることで、当該ピンのピン拡開構成部が前記ピン挿入穴の開口部を通過して縮径された状態が解除されると、当該ピンのピン拡開構成部が開いた状態に変換し、当該ピンのピン拡開部が前記ピン挿入穴の係合凹部に係合して第２止着状態をなすことで、前記第１ボックス構成部材と前記第２ボックス構成部材とが固着されることを特徴とする遊技機。
【請求項２】
前記止着拡開部には、その外面から突出された鋲が少なくとも一つ設けられていることを特徴とする請求項１に記載の遊技機。
【請求項３】
前記止着拡開部の前記ピンの挿入方向前側の端部には、前記ピン挿入穴に挿入されたピンが挿入方向前側から抜脱されることを規制する前側壁部が設けられていることを特徴とする請求項１又は２に記載の遊技機。
【発明の詳細な説明】
【技術分野】
【０００１】
本発明は、制御装置を備える遊技機に関する。
【背景技術】
【０００２】
従来、遊技機の制御装置は、基板が基板ボックスに収納されて構成されている。基板ボックスは、不正に開けられることがないように、第１ボックス構成部材と第２ボックス構成部材を取り付けた後、ワンウェイネジを締めて固着するかしめ構造が採用されている。
これにより、ワンウェイネジを一度締めたら、かしめ部分を破壊しなければ基板ボックスを開放できないようになっている（例えば、特許文献１参照）。
【特許文献１】特開平１０−３２８３８５号公報
【発明の開示】
【発明が解決しようとする課題】
【０００３】
しかしながら、上記特許文献１に係る発明の場合、ワンウェイネジのネジ頭部をドリルで削って回転可能な状態にして、当該ワンウェイネジを回転させ基板ボックスを開放してしまう不正が発生していた。これは、かしめ部分にネジを用いている以上避けられない問題となっている。
【０００４】
そこで、本発明は、上記事情に鑑みてなされたものであって、取り付け方法が簡便で、且つ、回転させても基板ボックスを開放することが不可能である固着部材を提供し、基板ボックスに対する不正を防止することができる遊技機を提供することを目的とする。
【課題を解決するための手段】
【０００５】
以上の課題を解決するため、請求項１に記載の発明は、
電子部品を搭載した制御基板を基板ボックスに収納した制御装置を備える遊技機において、
前記基板ボックスは、
第１ボックス構成部材と、第２ボックス構成部材と、前記第１ボックス構成部材及び前記第２ボックス構成部材を固着するかしめ手段と、を備え、
前記かしめ手段は、
前記第１ボックス構成部材に設けられたかしめ用孔と、
前記第２ボックス構成部材に設けられたかしめ用穴と、
前記かしめ用孔及び前記かしめ用穴に挿入されるかしめ部材と、を備え、
前記かしめ部材は、ピンと、当該ピンが挿入されることで拡開する拡開部材と、を備え、
前記ピンは、ピン本体部と、当該ピン本体部の挿入方向後側の端部に設けられるピン拡開部と、を備え、
前記拡開部材には、前記ピンが挿入されるピン挿入穴が設けられ、
当該ピン挿入穴に前記ピンが挿入されることで拡開して前記かしめ用孔及び前記かしめ用穴の内面に止着される止着拡開部と、
当該止着拡開部の前記ピンの挿入方向後側に設けられる開口形成部と、を備え、
前記ピン拡開部は、当該ピンの後端面から挿入方向に沿って略十字状に切り込みが設けられることで形成されたピン拡開構成部を備え、
前記ピン挿入穴は、
当該拡開部材の開口形成部の後端面に形成された開口部と、
当該開口部に連続して形成されて前記ピンが完全に挿入されることで、拡開した前記ピン拡開部と係合する係合凹部と、
当該係合凹部に連続して形成されて前記ピンが完全に挿入されることで前記ピン本体部を収納可能なピン収納部と、を具備し、
前記止着拡開部は、
当該止着拡開部の先端面から軸方向に沿って略十字状に切り込みが設けられることで形成された止着拡開構成部と、
当該止着拡開構成部の外面に、前記かしめ用孔及び前記かしめ用穴の内面に止着される鍔が少なくとも一つ形成された鍔形成部と、を具備し、
前記第１ボックス構成部材と前記第２ボックス構成部材とを接合した状態で、前記かしめ用孔及び前記かしめ用穴に前記かしめ部材を挿入し、
前記ピンを前記拡開部材のピン挿入穴に押し込むことにより、前記止着拡開構成部が互いの隙間を大きくするように離れて拡開することで、前記鍔形成部が前記かしめ用孔及び前記かしめ用穴の内面に止着される第１止着状態をなし、
当該第１止着状態から前記ピンをさらに前記拡開部材のピン挿入穴に押し込むと、当該ピンのピン拡開構成部が前記ピン挿入穴の開口部により縮径され、
さらに前記ピンを前記拡開部材のピン挿入穴に押し込んで、当該ピンのピン本体部が完全に前記ピン挿入穴のピン収納部に収納されることで、当該ピンのピン拡開構成部が前記ピン挿入穴の開口部を通過して縮径された状態が解除されると、当該ピンのピン拡開構成部が開いた状態に変換し、当該ピンのピン拡開部が前記ピン挿入穴の係合凹部に係合して第２止着状態をなすことで、前記第１ボックス構成部材と前記第２ボックス構成部材とが固着されることを特徴としている。
【０００６】
請求項１に記載の発明によれば、基板ボックスの第１ボックス構成部材及び第２ボックス構成部材を固着するかしめ手段は、第１ボックス構成部材のかしめ用孔及び第２ボックス構成部材のかしめ用穴に挿入されるかしめ部材を備え、かしめ部材は、ピンと、当該ピンが挿入されることで拡開する拡開部材と、を備え、拡開部材には、ピンが挿入されるピン挿入穴が設けられ、当該ピン挿入穴にピンが挿入されることで拡開してかしめ用孔及びかしめ用穴の内面に止着される止着拡開部と、当該止着拡開部のピンの挿入方向後側に設けられる開口形成部と、を備えているので、拡開部材のピン挿入穴にピンを挿入するだけで止着拡開部を拡開させてかしめ用孔及びかしめ用穴の内面に止着させることができ、第１ボックス構成部材及び第２ボックス構成部材のかしめ部材による固着を簡便に行うことができる。また、かしめ部材は、かしめ用孔及びかしめ用穴の内面に止着されているので、回転させても取り外すことができず、これにより、基板ボックスを開放することが不可能となって、基板ボックスに対する不正を適正に防止することができる。
【０００９】
請求項２に記載の発明は、請求項１に記載の遊技機において、
前記止着拡開部には、その外面から突出された鋲が少なくとも一つ設けられていることを特徴としている。
【００１０】
請求項２に記載の発明によれば、止着拡開部の外面から少なくとも一つの鍔が突出されているので、当該鋲によりかしめ部材をかしめ用孔及びかしめ用穴の内面により強固に止着することができる。さらに、鋲がかしめ用孔及びかしめ用穴の内面に止着されることで、当該かしめ部材を回転させることも不可能となって、基板ボックスに対する不正をより適正に防止することができる。
【００１１】
請求項３に記載の発明は、請求項１又は２に記載の遊技機において、
前記止着拡開部の前記ピンの挿入方向前側の端部には、前記ピン挿入穴に挿入されたピンが挿入方向前側から抜脱されることを規制する前側壁部が設けられていることを特徴としている。
【００１２】
請求項３に記載の発明によれば、止着拡開部のピンの挿入方向前側の端部には、ピン挿入穴に挿入されたピンが挿入方向前側から抜脱されることを規制する前側壁部が設けられているので、止着拡開部の拡開を解除するためにピン挿入穴に挿入されたピンを挿入方向前側から抜脱されることを前側壁部によって適正に規制することができ、ピンを取り除き難くすることができる。
【発明の効果】
【００１５】
本発明によれば、拡開部材のピン挿入穴にピンを挿入するだけで止着拡開部を拡開させてかしめ用孔及びかしめ用穴の内面に止着させることができ、第１ボックス構成部材及び第２ボックス構成部材のかしめ部材による固着を簡便に行うことができる。
また、かしめ部材は、回転させても取り外すことができず、これにより、基板ボックスを開放することが不可能となって、基板ボックスに対する不正を適正に防止することができる。
【発明を実施するための最良の形態】
【００１６】
以下、この発明の実施形態について図面を参照して説明する。
ここでは、本発明にかかる遊技機１００の適例としてのパチンコ遊技機１００について図１〜図１０を用いて説明を行う。
【００１７】
図１は、本発明を適用した一実施形態の遊技機１００に備わる遊技盤１の一部を示す背面図であり、取付ベース２に取り付けられた演出制御装置３及び遊技制御装置１０を示す。
本実施形態の遊技機１００は、矩形枠状に構成された機枠（図示略）を備え、この機枠の前方に該機枠に対し回動可能に矩形枠状の前面枠（図示略）が軸支されており、前面枠の背面側には、当該前面枠に形成された開口部から前側に臨むように遊技盤１が取り付けられている。
そして、遊技盤１の背面側には、各種部材が取り付けられる取付ベース２が設けられ、取付ベース２の上側に、表示ユニットを制御する演出制御装置３が取付けられ、その下側に、当該遊技盤１に設けた遊技装置の動作制御などを行うことで遊技の進行を統括的に制御する遊技制御装置１０（詳細後述）が基板ホルダ６０を介して取り付けられている。
【００１８】
なお、前面枠の前面側には、図示は省略するが、前側を覆うようにクリア部材保持枠が配置されている。そして、遊技盤１の前面とクリア部材保持枠に嵌め込まれたクリア部材としてのガラス板との間であって、遊技盤１の前面に設けられたガイドレール（図示略）に囲まれた部分が、遊技球が発射されて流下する遊技領域（図示略）とされ、この遊技領域内に遊技球（打球；遊技媒体）を発射して遊技を行うようになっている。
また、前面枠の前面側のクリア部材保持枠の下側に取り付けられた発射操作ユニット（図示略）は、排出された遊技球を貯留するとともに、遊技球を発射する発射装置に遊技球を送る上皿と、上皿に収容しきれない遊技球を収容する下皿及び灰皿と、遊技領域に向けての遊技球の発射操作を行うとともに、発射勢を調節するための操作ハンドルなどが設けられている。
【００１９】
また、前面枠の背面側には、遊技機１００としての諸機能を実現するための機構として、例えば、島設備より供給される遊技球を貯留する貯留タンク（図示略）や、球貸要求に応じた球排出や賞球排出を行う排出装置（図示略）、遊技盤１に設けられた各種入賞口へ入賞して回収された遊技球や何れの入賞口にも入賞せずにアウト口から回収された遊技球を機外の回収球搬送路へ導く遊技球回収機構（図示略）、球排出や打球の発射制御を行う排出・発射制御装置（図示略）、各部へ所定の電源を供給する電源装置（図示略）などが設けられている。
【００２０】
以下に、遊技制御装置１０について図２〜図８を参照して詳細に説明する。
遊技制御装置１０は、遊技機１００の制御を行う遊技制御基板（図示略）を基板ボックス１２に収納したものであって、取付ベース２に回動自在に軸着された基板ホルダ６０に保持されて遊技盤１の背面側に取り付けられている。
なお、遊技制御装置１０は遊技盤１の背面に取り付けられ、該遊技盤１が前面枠に取り付けられることで、遊技機１００の背面側から視認可能に配されている。よって、以下の説明では、図１に示すように、遊技機１００の背面側に配された遊技制御装置１０を遊技機１００の背面側から見た状態を基準として、遊技機１００の背面側から視認可能な面を前面（正面）、遊技盤１に取り付けられた側を後面とし、上下左右も遊技機１００の背面側から見た状態での上下左右とする。
【００２１】
先ず、基板ホルダ６０について説明する。
基板ホルダ６０は、例えば、透光性の合成樹脂で形成されており、基板ボックス１２が保持されるホルダ本体部６１と、ホルダ本体部６１の左側に設けられた２つの回動軸６２、６２等を備えている。
【００２２】
２つの回動軸６２、６２は、上下に並んで配設されている。各回動軸６２は、上下方向に対して略平行に延在して形成され、取付ベース２の軸受部２９に軸着されることで、取付ベース２に対して上下方向の軸周りに回動自在に取付けられる。
【００２３】
ホルダ本体部６１は、上下方向及び左右方向に対して略平行に延在する板状に形成され、その後面には補強用のリブ（図示略）が上下左右に複数形成されている。
また、ホルダ本体部６１の右側部分には、中継基板４が取り付けられる中継基板取付部６３が設けられている。そして、中継基板取付部６３と回動軸６２の間の部分が、基板ボックス１２が取り付けられるボックス取付部６４となっている。
【００２４】
ボックス取付部６４の左右方向に延在する上下縁部には、基板ボックス１２の第２ボックス構成部材４０に形成されたスライド係合部４１（後述）と対応する位置に、スライド係合部４１を受け入れるスライド係合受部６４１が形成されている。
スライド係合受部６４１の各々は、当該ボックス取付部６４の前面から前側に突出するように形成され、基板ボックス１２側に開口した断面略「コ」字状の側壁部と、この側壁部の前端の右側部分に連続して形成され、当該右側部分のみを覆う右側被覆部とを備えている。
即ち、側壁部の前端の左側部分は、スライド係合部４１を受け入れるための開口部となっており、この開口部を介して当該スライド係合受部６４１の内側に配されたスライド係合部４１は相対的に右方向に移動することにより、右側被覆部により抜け止めされた状態でスライド係合受部に係合する。
これにより、基板ボックス１２が基板ホルダ６０に取り付けられるようになっている。
【００２５】
ボックス取付部６４の右端部には、基板ボックス１２の挿入係合部４３と対応する位置に、挿入係合部４３を受け入れる挿入係合受部（図示略）が上下に並んで形成されている。
挿入係合受部は、外形が略直方体状に形成され、左側に向けて開口した略矩形状の開口部を有している。そして、基板ホルダ６０に対して基板ボックス１２を相対的に右方向へスライドさせることにより、挿入係合受部に開口部を介して挿入係合部４３が挿入される。
これによっても基板ボックス１２が基板ホルダ６０に取り付けられるようになっている。
【００２６】
ボックス取付部６４の左側部には、基板ボックス１２の左端部に係合して当該ボックス取付部６４からの取り外しを規制する係止部６７が設けられている。
係止部６７は、当該ホルダ本体部６１と一体となって形成され、可撓性を有している。具体的には、係止部６７は、ボックス取付部６４の左側部の上下方向の中央やや下寄りの位置に設けられ、基板ボックス１２の左端部に係合する係合爪がホルダ本体部６１と略同方向に延在する延在部の先端部（左端部）に設けられている。
【００２７】
基板ボックス１２は、遊技制御装置１０の前面側を構成するとともに遊技制御基板を収納する第１ボックス構成部材２０と、後面側を構成する第２ボックス構成部材４０とを備え、第１ボックス構成部材２０と第２ボックス構成部材４０は正面視にて右側側部に設けられた４つの固着部（かしめ手段）７０（図３参照）により固着されている。
これにより、遊技制御基板が基板ボックス１２に完全に内包された状態となり、遊技制御基板に対する不正行為を防止するようになっている。
【００２８】
遊技制御基板は、図示は省略するが、外形が略矩形状の基板であって、前面には他の装置と接続するための複数のコネクタ（図示略）が設けられているとともに、図示しないＣＰＵ、ＲＯＭ、ＲＡＭ内蔵のワンチップＩＣ等の電子部品が配されている。この遊技制御基板においては、例えば、大当たりの抽選や、遊技の進行制御などの遊技に関する種々の処理がなされるようになっており、このような制御を行う遊技制御基板に対する不正行為を防止するために、遊技制御基板は基板ボックス１２に収納されている。
【００２９】
第１ボックス構成部材２０は、例えば、透光性の合成樹脂で形成されており、内部に収納した遊技制御基板を視認可能となっている。また、第１ボックス構成部材２０は、遊技制御基板の外形に対応させて略矩形枠状に連結された４つの側壁部２２、…と、各側壁部２２の前端部に連続して形成され、４つの側壁部２２、…とともに収納凹部２３を形成する前面壁２１とを具備し、収納凹部２３内に遊技制御基板がネジ止め等により取付固定されている。
【００３０】
収納凹部２３は、前面側に膨らんで内側に遊技制御基板を収納するものであり、遊技制御基板のコネクタが設けられた部分に合わせて、遊技制御基板と対向する前面壁２１の一部分が後面側に凹んで段部２４、…が形成されている。また、段部２４、…にはコネクタが挿通されるコネクタ挿通開口部２５、…が設けられている。
このコネクタ挿通開口部２５、…に、基板ボックス１２に収納された遊技制御基板のコネクタが挿入されて遊技制御装置１０の前面側に露出するようになっており、これによって遊技制御基板への配線が可能となっている。
また、コネクタがコネクタ挿通開口部２５、…に挿入されることで、遊技制御基板は上下左右方向への移動が規制されるようになり、さらには、段部２４、…に遊技制御基板の前面が当接し、遊技制御基板の前方への移動が規制される。即ち、段部２４、…及びコネクタ挿通開口部２５、…は、第１ボックス構成部材２０に対する遊技制御基板の位置決めを行う機能も有する。
なお、遊技制御基板に設けるコネクタは一部分に集中させないで、複数箇所に分散して設けられており、遊技制御基板が適切な位置に確実に保持されるようにされている。
【００３１】
また、４つの側壁部２２、…のうち、上下の側壁部２２、２２における外側の面には、当該側壁部２２に対して垂直に外側に突出する直方体状のボックススライド係合部（図示略）が複数形成されている。
ボックススライド係合部は、第２ボックス構成部材４０に形成されたボックススライド係合受部４６と係合可能であり、これにより第１ボックス構成部材２０と第２ボックス構成部材４０とが接合されるようになっている。
【００３２】
また、４つの側壁部２２、…のうち、左側の側壁部２２における外側の面には、当該側壁部２２に対して垂直に外側に突出する直方体状の第１挿入係合部（図示略）が形成されている。
第１挿入係合部は、第２ボックス構成部材４０に形成された第２挿入係合受部４７に挿入されることで係合し、これによっても第１ボックス構成部材２０と第２ボックス構成部材４０とが接合されるようになっている。
【００３３】
また、上側の側壁部２２における外側の面には、第２ボックス構成部材４０に形成された係止片４８と係合可能な係止部材２７が設けられており、これによって第１ボックス構成部材２０と第２ボックス構成部材４０を接合した状態で保持できるようになっている。
【００３４】
また、右側の側壁部２２には、外側に向かって突出されたかしめ部配設部２８が形成されている。
かしめ部配設部２８は、右側の側壁部２２の上下方向のやや内側の位置から右側に突出するように形成されている。
【００３５】
４つのかしめ部３０、…は、上下方向に所定間隔を空けて配設された４つの連結部３１、…を介してかしめ部配設部２８と接続されている。各かしめ部３０は、外形が前後方向に延在する円筒状に形成され、略中央部に第１ボックス構成部材２０と第２ボックス構成部材４０を固着する際にかしめ部材８０が挿通されて止着されるかしめ用孔３０ａが前後方向に沿って穿設されている。
また、かしめ用孔３０ａは、かしめ部材８０及び第２ボックス構成部材４０のかしめ受部５０のかしめ用穴５０ａとともに固着部７０を構成している。
【００３６】
なお、かしめ部３０は、その後端のネジ孔よりも右側部分が左側部分に対して後側に突出されており、当該かしめ部３０と接合するかしめ受部５０を右側から覆うようになっている。これにより、かしめ部３０とかしめ受部５０の接合部分に工具等を差し込んで当該基板ボックス１２を開放する不正行為を抑制することができる。
【００３７】
各連結部３１は、各かしめ部３０の外周面とかしめ部配設部２８とを個別に繋ぐものである。
【００３８】
第２ボックス構成部材４０は、例えば、透光性の合成樹脂で形成されており、内部に収納した遊技制御基板を視認可能となっている。また、第２ボックス構成部材４０は、遊技制御装置１０の後面をなす略矩形状の後面壁（図示略）と、該後面壁の周囲を囲むように前側に略垂直に突出した周囲壁４２とを有し、周囲壁４２の内側に第１ボックス構成部材２０の側壁部２２が配設される。
【００３９】
後面壁の前面であって上側の周囲壁４２のすぐ下側には、当該周囲壁４２と平行なリブ状の上部案内壁（図示略）が形成され、上側の側壁部２２が左右方向にスライド可能に嵌合するスライド溝が形成されている。
また同様に、下側の周囲壁４２のすぐ上側には、当該周囲壁４２と平行なリブ状の下部案内壁（図示略）が形成され、下側の側壁部２２が左右方向にスライド可能に嵌合するスライド溝が形成されている。
【００４０】
上下の周囲壁４２、４２における外側の面には、第１ボックス構成部材２０に形成されたボックススライド係合部（図示略）と対応する位置に、各ボックススライド係合部を受け入れるボックススライド係合受部４６、…が形成されている。
ボックススライド係合受部４６、…の各々は、上下の周囲壁４２、４２に形成されたＬ字状のスリット（図示略）と、該スリットが形成された部分の外側を覆うカバー部とからなる。
スリットは、周囲壁４２の前端に一端部が位置しており、ここから前後方向に沿って後方へ延在し、さらに直角に左方へ屈折して左右方向に沿って延在するように形成されている。そして、周囲壁４２の前端に位置する一端部が、ボックススライド係合部を受け入れる受入部とされ、スリットの外側を覆うカバー部にも、この部分に切欠状の開口が形成されている。
【００４１】
また、上下の周囲壁４２、４２における外側の面には、周囲壁４２に対して略垂直に外側に突出して、基板ホルダ６０のスライド係合受部６４１と係合する直方体状のスライド係合部４１（図３参照）が複数（例えば、上下２個ずつ）形成されている。
【００４２】
左側の周囲壁４２には、第１ボックス構成部材２０に形成された第１挿入係合部（図示略）と対応する位置に、該挿入係合部を受け入れる２つの第２挿入係合受部４７、４７が形成されている。
そして、第１ボックス構成部材２０と第２ボックス構成部材４０とを組み合わせた状態で第１ボックス構成部材２０を左方向へスライドすることにより、第２挿入係合受部４７に第１挿入係合部が挿入されるようになっている。
【００４３】
また、上側の周囲壁４２における外側の面には、第１ボックス構成部材２０に設けられた係止部材２７と対応する位置に係止片４８が形成されている。
係止片４８は、外側へ向かって突出する突条であって、右側面が左側へ向かって周囲壁４２からの突出量が増加する斜面とされ、左側面は周囲壁４２に対して垂直な面とされている。そして、係止片４８に係止部材２７が係止することによって、後述するように、第１ボックス構成部材２０と第２ボックス構成部材４０とが接合した状態が保持される。
【００４４】
また、右側の周囲壁４２の外側の面には、第１ボックス構成部材２０に設けられたかしめ部３０、…に対応するように４つのかしめ受部５０、…がそれぞれ第２ボックス構成部材４０から延設された接続部４９（図３参照）を介して配設されている。
【００４５】
かしめ受部５０、…は、外形が前後方向に延在する円柱状に形成され、略中央部に第１ボックス構成部材２０と第２ボックス構成部材４０を固着する際にかしめ部材８０が挿入されて止着されるかしめ用穴５０ａが当該かしめ受部５０の前端面から前後方向に沿って穿設されている。
また、かしめ受部５０は、第１ボックス構成部材２０と第２ボックス構成部材４０とを接合させることによってかしめ部３０、…と対向配置され、かしめ部３０のかしめ用孔３０ａとかしめ受部５０のかしめ用穴５０ａが連通された状態となる。
【００４６】
また、右側の周囲壁４２の外側の面のかしめ受部５０の上下両側には、当該周囲壁４２に対して略垂直に外側に突出して基板ホルダ６０の挿入係合受部に挿入される直方体状の挿入係合部４３（図３参照）が形成されている。
【００４７】
上下の周囲壁４２、４２は、かしめ部配設部２８の上下方向の長さよりも広い間隔を空けて配設されている。また、左右の周囲壁４２、４２は、当該周囲壁４２の内側にスライドさせるようにして取り付けられる第１ボックス構成部材２０のスライド量を考慮して、第１ボックス構成部材２０の左右の側壁部２２、２２よりも広い間隔を空けて配設されている。
【００４８】
次に、かしめ部材８０について図５〜図８を参照して詳細に説明する。
図５（ａ）は、かしめ部材８０の拡開部材８２とピン８１を分離した状態を拡大して示す斜視図であり、図５（ｂ）は、その軸方向に沿った平面で切断した断面を示している。また、図６（ａ）は、拡開部材８２にピン８１の先端部８１１ａを挿入した状態を拡大して示す斜視図であり、図６（ｂ）は、その軸方向に沿った平面で切断した断面を示している。また、図７（ａ）は、拡開部材８２にピン８１のほぼ全体を挿入した状態を拡大して示す斜視図であり、図７（ｂ）は、その軸方向に沿った平面で切断した断面を示している。また、図８（ａ）は、拡開部材８２にピン８１を完全に挿入した状態を拡大して示す斜視図であり、図８（ｂ）は、その軸方向に沿った平面で切断した断面を示している。
【００４９】
かしめ部材８０は、かしめ部３０のかしめ用孔３０ａ及びかしめ受部５０のかしめ用穴５０ａに挿入されて止着されるものであり、図５〜図８に示すように、ピン８１と、このピン８１が挿入されることで拡開する拡開部材８２とを備えている。
【００５０】
ピン８１は、軸方向（拡開部材８２に対する挿入方向）に略直交する断面が略円形状をなす長尺な部材であり、ピン本体部８１１と、このピン本体部８１１に連続して形成されたピン拡開部８１２とを具備している。
【００５１】
ピン本体部８１１の挿入方向前側の端部（先端部）８１１ａは、先端側になるにつれて径が次第に小さくなる円錐台状に形成されている。これにより、ピン８１を拡開部材８２のピン挿入穴８２１（後述）に挿入し易くなっている。
また、ピン本体部８１１の挿入方向後側の端部（後端部）に連続するようにピン拡開部８１２が設けられている。
【００５２】
ピン拡開部８１２は、当該ピン８１の後端面から軸方向（挿入方向）に沿って略十字状に切り込みが設けられることで形成された４つのピン拡開構成部８１２ａ、…を備えている。
これら４つのピン拡開構成部８１２ａ、…は、通常状態では（図５、図６及び図８参照）、後端側になるにつれて径が次第に大きくなるように切り込みに沿って開いた状態となっている。一方、ピン拡開部８１２が開口部８２１ａを通過する際に、外部からピン拡開部８１２を縮径させる方向に力が加わると、４つのピン拡開構成部８１２ａ、…が隙間なく密着された状態（図７参照）となるまで、４つのピン拡開構成部８１２ａ、…が互いの隙間を小さくするように閉じていくことで次第に縮径される。なお、４つのピン拡開構成部８１２ａ、…が隙間なく密着された状態では、ピン拡開部８１２の径は、ピン本体部８１１の先端部８１１ａ以外の部分の径と略等しくなっている。
また、４つのピン拡開構成部８１２ａ、…に対する閉じる方向への付勢力が解除されると、例えば、拡開部材８２にピン８１が完全に挿入された状態（図７の状態から図８の状態）となると、４つのピン拡開構成部８１２ａ、…は弾性力により開いた状態に復帰するようになっている。
【００５３】
また、ピン８１は、例えば、所定の金属から成形された部材である。
これにより、当該かしめ部材８０がかしめ部３０のかしめ用孔３０ａとかしめ受部５０のかしめ用穴５０ａに挿入されて止着された状態で、基板ボックス１２を開放するために、かしめ部３０とかしめ受部５０の接合部分を切断するといった不正に対して、拡開部材８２が切断されても金属製のピン８１の切断が困難となり、不正防止効果をより高めることができる。
【００５４】
拡開部材８２は、軸方向（かしめ部３０のかしめ用孔３０ａ及びかしめ受部５０のかしめ用穴５０ａに対する挿入方向）に沿って長尺な部材であり、略中央部にピン８１が挿入されるピン挿入穴８２１が軸方向に沿って形成されている。
具体的には、拡開部材８２は、かしめ用孔３０ａ及びかしめ用穴５０ａに対する挿入方向後側に設けられ、ピン挿入穴８２１の開口部８２１ａ（後述）が形成された開口形成部８２２と、この開口形成部８２２の挿入方向前側の端部に連続するように形成され、当該ピン挿入穴８２１に対するピン８１の未挿入状態で閉じた状態とされ、且つ、ピン８１が挿入されることで拡開した状態に変形する止着拡開部８２３とを具備している。
【００５５】
開口形成部８２２は、軸方向に沿って略等しい外径を有する円環状に形成されている。また、開口形成部８２２の外径は、かしめ部３０のかしめ用孔３０ａの内径と略等しいか、或いは、当該内径よりもわずかに小さくなっている。
【００５６】
止着拡開部８２３は、閉じた状態で（図５等参照）、挿入方向後側の端部から挿入方向前側になるにつれて外径が次第に小さくなるように傾斜した傾斜環状部８２４と、この傾斜環状部８２４の挿入方向前側の端部に連続するように形成され、外面にかしめ用孔３０ａとかしめ用穴５０ａの内面に止着される９つの鍔８２５ａ、…が形成された鍔形成部８２５とを具備している。
【００５７】
鍔形成部８２５の外面には、挿入方向に沿って略等間隔を空けて並ぶように９つの鍔８２５ａ、…が形成され、当該９つの鍔８２５ａ、…は拡開部材８２の挿入方向と交わるように突出されている。
９つの鍔８２５ａ、…の各々は、略等しい形状をなし、軸方向に沿った断面が略三角形状をなしている。
【００５８】
また、鍔形成部８２５の外径は、当該止着拡開部８２３が閉じた状態で、かしめ部３０のかしめ用孔３０ａ及びかしめ受部５０のかしめ用孔３０ａの内径と略等しいか、或いは、当該内径よりもわずかに小さくなっている（図５参照）。
【００５９】
鍔形成部８２５の挿入方向前側の端部には、止着拡開部８２３が閉じた状態で（図５参照）、ピン挿入穴８２１の底を構成する前側壁面部８２６が設けられている。
【００６０】
また、止着拡開部８２３は、前側壁面部８２６の外端面（先端面）から軸方向（挿入方向）に沿って略十字状に切り込みが設けられることで形成された４つの止着拡開構成部８２３ａ、…を具備している。
即ち、傾斜環状部８２４と鍔形成部８２５には、略十字状に切り込みが形成されており、ピン挿入穴８２１に対するピン８１の未挿入状態で、傾斜環状部８２４と鍔形成部８２５を構成する４つの止着拡開構成部８２３ａ、…は隙間なく密着された状態となっている（図５参照）。そして、ピン挿入穴８２１にピン８１が挿入されることで内側から径を拡大させる方向に力が加わると、４つの止着拡開構成部８２３ａ、…が互いの隙間を大きくするように離れていくことで、傾斜環状部８２４と鍔形成部８２５が分割するように拡開していく。これにより、止着拡開部８２３が拡開した状態となる。
【００６１】
なお、止着拡開部８２３が拡開した状態、即ち、４つの止着拡開構成部８２３ａ、…が離れた状態でも、離れた状態の鍔形成部８２５の前側壁面部８２６に、ピン挿入穴８２１に完全に挿入されたピン８１の先端面が接触するようになっており、これにより、ピン挿入穴８２１に挿入されたピン８１が挿入方向前側から抜脱されることを規制するようになっている。
【００６２】
開口形成部８２２及び止着拡開部８２３の略中央部には、開口形成部８２２の挿入方向後側の端面から軸方向に沿ってピン挿入穴８２１が穿設されている。
【００６３】
ピン挿入穴８２１は、具体的には、内側にピン８１を収納するように当該ピン８１全体を挿入可能となっており、拡開部材８２の開口形成部８２２の後端面に形成された開口部８２１ａと、この開口部８２１ａに連続して形成され、ピン８１が完全に挿入されることでピン拡開部８１２と係合する係合凹部（ピン拡開部係合部）８２１ｂと、この係合凹部８２１ｂに連続して形成され、ピン８１が完全に挿入されることでピン本体部８１１を収納するピン本体収納部８２１ｃとを具備している。
なお、ピン挿入穴８２１は、止着拡開部８２３が閉じた状態では前側壁面部８２６により底面が形成されるが（図５及び図６参照）、止着拡開部８２３が拡開することにより分割された前側壁面部８２６により底が抜けた状態となる（図７及び図８参照）。
【００６４】
開口部８２１ａの内径は、ピン本体部８１１の先端部８１１ａ以外の部分及び４つのピン拡開構成部８１２ａ、…が隙間なく密着された状態のピン拡開部８１２の外径と略等しいか、或いは、当該外径よりもわずかに大きくなっている。
また、開口部８２１ａの挿入方向前側の端部に連続するように係合凹部８２１ｂが設けられている。
【００６５】
係合凹部８２１ｂは、開口形成部８２２の内側に形成され、ピン８１の４つのピン拡開構成部８１２ａ、…が開いた状態のピン拡開部８１２の外形に対応させた形状となっている。
即ち、係合凹部８２１ｂは、挿入方向後側の端部の内径が開口部８２１ａの外径よりも大径とされるとともに、４つのピン拡開構成部８１２ａ、…が開いた状態のピン拡開部８１２の外径と略等しくなるように形成されている。また、係合凹部８２１ｂは、挿入方向後側の端部から挿入方向前側になるにつれて径が次第に小さくなる円錐台状に形成され、挿入方向前側の端部の内径が４つのピン拡開構成部８１２ａ、…が閉じた状態のピン拡開部８１２の外径（ピン本体部８１１の先端部８１１ａ以外の部分の外径）と略等しくなるように形成されている。従って、ピン挿入穴８２１に挿入されたピン８１のピン拡開部８１２が係合凹部８２１ｂと係合することで、当該ピン８１が挿入方向後側から抜脱されることが規制されるようになっている。
また、係合凹部８２１ｂの挿入方向前側の端部に連続するようにピン本体収納部８２１ｃが設けられている。
【００６６】
ピン本体収納部８２１ｃは、ピン８１の未挿入状態で（図５参照）、係合凹部８２１ｂの傾斜部分と略等しい角度で傾斜して略円錐台状の空間を構成する円錐台空間部８２１ｄと、この円錐台空間部８２１ｄに連続して形成され、略円筒形状の空間を構成する円筒空間部８２１ｅとを具備している。
【００６７】
円錐台空間部８２１ｄは、傾斜環状部８２４の内側に、係合凹部８２１ｂの挿入方向前側の端部に連続して形成されている。
円筒空間部８２１ｅは、鍔形成部８２５の内側に、円錐台空間部８２１ｄの挿入方向前側の端部に連続して形成されている。また、円筒空間部８２１ｅは、ピン８１の未挿入状態で底面が形成されるが（図５及び図６参照）、ピン本体収納部８２１ｃにピン８１が挿入された状態では、止着拡開部８２３が拡開して前側壁面部８２６が分割された状態となることにより円筒空間部８２１ｅの挿入方向前側の端部（先端部）が外部と連通されるように底が抜けた状態となる（図７及び図８参照）。
【００６８】
円錐台空間部８２１ｄ及び円筒空間部８２１ｅは、当該ピン本体収納部８２１ｃにピン８１が略完全に挿入されて止着拡開部８２３が拡開することで、当該止着拡開部８２３の切れ込みに沿って分割されることで、ピン本体部８１１の先端部８１１ａ以外の部分の外径と略等しいか、或いは、当該外径よりもわずかに大きい内径を有する空間を構成するように形成されている（図７参照）。
【００６９】
上記構成のかしめ部材８０は、止着拡開部８２３が拡開しない程度で拡開部材８２にピン８１が挿入された状態のもの（図６参照）が、予め４つのかしめ部３０、…及び４つのかしめ受部５０、…に挿入されて当該かしめ部材８０の手前側が露出しないようにキャップ３３により封止されている。
そして、４つのかしめ部３０、…の何れかに挿入されているかしめ部材８０がかしめ部３０のかしめ用孔３０ａと当該かしめ用孔３０ａに対向配置されたかしめ受部５０のかしめ用穴５０ａに止着されることで第１ボックス構成部材２０と第２ボックス構成部材４０が固着されている（詳細後述）。
即ち、かしめ部材８０によるかしめ部３０とかしめ受部５０の固着を解除するためには、当該固着部７０のかしめ受部５０の接続部４９、若しくはかしめ部３０の連結部を切断する必要があるため、固着部７０は、痕跡が残るような方法でのみ固着解除可能とされている。
【００７０】
以上のような構成を有する基板ボックス１２は、第１ボックス構成部材２０と第２ボックス構成部材４０を接合する際には、先ず、第１ボックス構成部材２０のボックススライド係合部を第２ボックス構成部材４０のボックススライド係合受部４６、…に嵌め込むようにする。これにより、第１ボックス構成部材２０の収納凹部２３の後端部分が第２ボックス構成部材４０の周囲壁４２に収容されるとともに、第１ボックス構成部材２０の上下の側壁部２２、２２が第２ボックス構成部材４０のスライド溝に嵌合する。
そして、この状態で、第１ボックス構成部材２０を左方向へスライドさせることで、ボックススライド係合部とボックススライド係合受部４６、…が係合するとともに、第１挿入係合部が第２挿入係合受部４７、４７に挿入されて係合した状態となる。
これにより、第１ボックス構成部材２０と第２ボックス構成部材４０とが接合した状態となる。
【００７１】
また、第１ボックス構成部材２０に設けられた係止部材２７は、上述のように第１ボックス構成部材２０を左方向にスライドさせる過程で係止片４８の右側面の斜面に当接し、さらに左方向にスライドすることで、係止部材２７が弾性変形して係止片４８の斜面に沿って案内される。そして、係止部材２７の係止部が係止片４８を乗り越えると、弾性変形していた係止部材２７が元の状態に復帰し、係止片４８の垂直な左端面に係止部材２７が係止される。
このように、係止部材２７の係止部が係止片４８を乗り越えた状態となるのは、ちょうど第１ボックス構成部材２０が第２ボックス構成部材４０と接合された状態となったときであって、この位置で係止部材２７が係止されることで、第１ボックス構成部材２０と第２ボックス構成部材４０とが接合された状態で保持されることとなる。
【００７２】
第１ボックス構成部材２０と第２ボックス構成部材４０とが接合した状態では、固着部７０をなすかしめ部３０、…とかしめ受部５０、…とが対向するように配され、固着可能な状態となる。
かかる状態で、４つのかしめ部３０、…及び４つのかしめ受部５０、…には、止着拡開部８２３が拡開しない程度で拡開部材８２にピン８１が挿入された状態のかしめ部材８０が挿入された状態となっている（図６参照）。
【００７３】
４つのかしめ部３０、…のうち、何れか（例えば、最も上側）のかしめ部３０のかしめ用孔３０ａ及びかしめ受部５０のかしめ用穴５０ａに挿入されているかしめ部材８０の拡開部材８２のピン挿入穴８２１にピン８１を押し込んでいくことで、内側から径を拡大させる方向に力が加わって４つの止着拡開構成部８２３ａ、…が互いの隙間を大きくするように離れていって、拡開部材８２の傾斜環状部８２４と鍔形成部８２５が分割するように次第に拡開していく（図６及び図７参照）。これにより、鍔形成部８２５の９つの鍔８２５ａ、…がかしめ用孔３０ａ及びかしめ用穴５０ａの内面に食い込んでいく。
そして、ピン本体部８１１がピン挿入穴８２１の円筒空間部８２１ｅに挿入されることで傾斜環状部８２４及び鍔形成部８２５が完全に拡開した状態となって、かしめ用孔３０ａ及びかしめ用穴５０ａの内面に食い込んだ９つの鍔８２５ａ、…によりかしめ部材８０が止着された状態となる。
【００７４】
その後、ピン挿入穴８２１にさらにピン８１を押し込んでいき、ピン拡開部８１２が開口部８２１ａを通過させる際に外部から当該ピン拡開部８１２を縮径させる方向に力が加わると、４つのピン拡開構成部８１２ａ、…が互いの隙間を小さくするように閉じていくことで次第に縮径されていき、４つのピン拡開構成部８１２ａ、…がほぼ隙間なく密着された状態となる（図７参照）。
さらにピン８１をピン挿入穴８２１に押し込んでいき、ピン拡開部８１２が開口部８２１ａを完全に通過して、ピン挿入穴８２１にピン８１が完全に挿入された状態となると、４つのピン拡開構成部８１２ａ、…に対する閉じる方向への付勢力が解除されて、４つのピン拡開構成部８１２ａ、…は弾性力により開いた状態に復帰することで、ピン拡開部８１２が係合凹部８２１ｂと係合した状態となる（図８参照）。
これにより、第１ボックス構成部材２０と第２ボックス構成部材４０を固着して、基板ボックス１２が密封された状態となる。
【００７５】
なお、かしめ部材８０による固着前であれば、係止部材２７を上側に引き上げるように弾性変形させて係止片４８による係止部の係止状態を解除し、第１ボックス構成部材２０を右方向へスライドさせることで、第１ボックス構成部材２０と第２ボックス構成部材４０の接合状態を解除することができる。
【００７６】
一方、基板ボックス１２を開放する場合には、先ず、かしめ部材８０により固着されているかしめ受部５０の接続部４９、若しくはかしめ部３０の連結部３１を切断する。
そして、第１ボックス構成部材２０を第２ボックス構成部材４０に対して右方向にスライドさせることにより、第１ボックス構成部材２０と第２ボックス構成部材４０の接合状態を解除する。
【００７７】
以上のように、本実施形態の遊技機１００は、電子部品を搭載した遊技制御基板を基板ボックス１２に収納した遊技制御装置１０を備える遊技機１００であって、基板ボックス１２は、第１ボックス構成部材２０と、第２ボックス構成部材４０と、第１ボックス構成部材２０及び第２ボックス構成部材４０を固着する固着部７０と、を備え、固着部７０は、第１ボックス構成部材２０に設けられたかしめ用孔３０ａと、第２ボックス構成部材４０に設けられたかしめ用穴５０ａと、かしめ用孔３０ａ及びかしめ用穴５０ａに挿入されるかしめ部材８０と、を備え、かしめ部材８０は、ピン８１と、当該ピン８１が挿入されることで拡開する拡開部材８２と、を備え、拡開部材８２には、ピン８１が挿入されるピン挿入穴８２１が設けられ、当該ピン挿入穴８２１にピン８１が挿入されることで拡開してかしめ用孔３０ａ及びかしめ用穴５０ａの内面に止着される止着拡開部８２３と、当該止着拡開部８２３のピン８１の挿入方向後側に設けられる開口形成部８２２と、を備えている。
【００７８】
従って、基板ボックス１２の第１ボックス構成部材２０及び第２ボックス構成部材４０を固着する固着部７０は、第１ボックス構成部材２０のかしめ用孔３０ａ及び第２ボックス構成部材４０のかしめ用穴５０ａに挿入されるかしめ部材８０を備え、かしめ部材８０は、ピン８１と、当該ピン８１が挿入されることで拡開する拡開部材８２と、を備え、拡開部材８２には、ピン８１が挿入されるピン挿入穴８２１が設けられ、当該ピン挿入穴８２１にピン８１が挿入されることで拡開してかしめ用孔３０ａ及びかしめ用穴５０ａの内面に止着される止着拡開部８２３と、当該止着拡開部８２３のピン８１の挿入方向後側に設けられる開口形成部８２２と、を備えているので、拡開部材８２のピン挿入穴８２１にピン８１を挿入するだけで止着拡開部８２３を拡開させてかしめ用孔３０ａ及びかしめ用穴５０ａの内面に止着させることができ、第１ボックス構成部材２０及び第２ボックス構成部材４０のかしめ部材８０による固着を簡便に行うことができる。また、かしめ部材８０は、かしめ用孔３０ａ及びかしめ用穴５０ａの内面に止着されているので、回転させても取り外すことができず、これにより、基板ボックス１２を開放することが不可能となって、基板ボックス１２に対する不正を適正に防止することができる。
【００７９】
また、止着拡開部８２３には、その外面から当該かしめ部材８０の挿入方向と交わるように突出された鍔８２５ａが少なくとも一つ設けられている。
【００８０】
従って、止着拡開部８２３の外面から当該かしめ部材８０の挿入方向と交わるように少なくとも一つの鍔８２５ａが突出されているので、当該鍔８２５ａによりかしめ部材８０をかしめ用孔３０ａ及びかしめ用穴５０ａの内面により強固に止着することができる。
【００８１】
また、止着拡開部８２３のピン８１の挿入方向前側の端部には、ピン挿入穴８２１に挿入されたピン８１が挿入方向前側から抜脱されることを規制する前側壁面部８２６が設けられている。
【００８２】
従って、止着拡開部８２３のピン８１の挿入方向前側の端部には、ピン挿入穴８２１に挿入されたピン８１が挿入方向前側から抜脱されることを規制する前側壁面部８２６が設けられているので、止着拡開部８２３の拡開を解除するためにピン挿入穴８２１に挿入されたピン８１を挿入方向前側から抜脱されることを前側壁面部８２６によって適正に規制することができ、ピン８１を取り除き難くすることができる。
【００８３】
また、ピン８１の挿入方向後側の端部には、ピン拡開部８１２が設けられ、拡開部材８２の挿入方向後側の端部には、ピン挿入穴８２１に挿入されたピン８１のピン拡開部８１２と係合して当該ピン８１が挿入方向後側から抜脱されることを規制する係合凹部８２１ｂが設けられている。
【００８４】
従って、拡開部材８２の挿入方向後側の端部には、ピン挿入穴８２１に挿入されたピン８１のピン拡開部８１２と係合して当該ピン８１が挿入方向後側から抜脱されることを規制する係合凹部８２１ｂが設けられているので、当該係合凹部８２１ｂにピン８１のピン拡開部８１２が係合することにより、止着拡開部８２３の拡開を解除するためにピン挿入穴８２１に挿入されたピン８１を挿入方向後側から抜脱されることを適正に規制することができ、ピン８１を取り除き難くすることができる。これにより、基板ボックス１２に対する不正をより適正に防止することができる。
【００８５】
なお、上記実施形態にあっては、拡開部材８２に９つの鍔８２５ａ、…を設けるようにしたが、鍔８２５ａの数は９つに限られるものではなく、少なくとも一つ設けられていれば適宜任意に変更することができる。
【００８６】
また、鍔８２５ａの形状も上記実施形態に例示したものに限られるものではなく、かしめ部材８０の挿入方向と交わるように突出された形状であれば適宜任意に変更することができる。即ち、図９に示すように、かしめ部材８０の挿入方向に対して略直交する平面とこの平面の先端から傾斜して鍔形成部８２５の外面と交わる傾斜面を具備する断面直角三角形状の鍔１８２５ａを設けるようにしても良い。このような形状とすることにより、平面と傾斜面とのなす角をより鋭角的にすることができ、かしめ部３０のかしめ用孔３０ａ及びかしめ受部５０のかしめ用孔３０ａの内面に対して食い込む力をより大きくすることができる。
また、当該かしめ部材８０を挿入方向後側から引き抜くような不正に対しては、この変形例の鍔１８２５ａは、返しのような機能を具備させることができ、かしめ部材８０をより引き抜き難くすることができる。
なお、鍔８２５ａ、１８２５ａの形状は、断面が三角形状に形成されたものに限られない。
【００８７】
＜変形例２＞
以下に、かしめ部材１８０の変形例２について図１０及び図１１を参照して説明する。
図１０及び図１１は、変形例２のかしめ部材１８０の拡開部材８２に対するピン８１の挿入を説明するための図であり、図１０（ａ）は、拡開部材８２とピン８１を分離した状態を拡大して示す斜視図であり、図１０（ｂ）は、拡開部材８２にピン８１の先端部８１１ａを挿入した状態を拡大して示す斜視図であり、図１１（ａ）は、拡開部材８２にピン８１のほぼ全体を挿入した状態を拡大して示す斜視図であり、図１１（ｂ）は、拡開部材８２にピン８１を完全に挿入した状態を拡大して示す斜視図である。
なお、以下に説明する以外の点では、上記実施形態と略同様であり、その説明は省略する。
【００８８】
図１０及び図１１に示すように、変形例２のかしめ部材１８０の拡開部材８２には、その外面に鍔８２５ａの代わりに複数の鋲８２７ａ、…が形成されている。即ち、拡開部材８２は、上記実施形態の鍔形成部８２５の代わりに複数の鋲８２７ａ、…が形成された鋲形成部８２７を備えている。
【００８９】
鋲形成部８２７には、複数の鋲８２７ａ、…が挿入方向に沿って略等間隔を空けて並び、かつ、挿入方向に略直交する周方向に沿って略等間隔を空けて並ぶように突出して形成されている。
複数の鋲８２７ａ、…の各々は、略等しい形状をなし、四角錐形状をなしている。
【００９０】
なお、鋲形成部８２７は、外面に鍔８２５ａの代わりに鋲８２７ａが形成されている以外の点では、鍔形成部８２５と略同様の構成をなしており、その詳細な説明は省略する。
【００９１】
このような構成の拡開部材８２によっても、上記実施形態と同様に、当該拡開部材８２のピン挿入穴８２１にピン８１が挿入されることで拡開して、鋲形成部８２７の複数の鋲８２７ａ、…をかしめ部３０のかしめ用孔３０ａ及びかしめ受部５０のかしめ用孔３０ａの内面に食い込ませることで止着されるようになっている。これにより、かしめ部材１８０によって第１ボックス構成部材２０と第２ボックス構成部材４０を固着した状態とすることができる。
【００９２】
以上のように、止着拡開部８２３には、その外面から突出された鋲８２７ａが少なくとも一つ設けられている。
【００９３】
従って、止着拡開部８２３の外面から少なくとも一つの鋲８２７ａが突出されているので、当該鋲８２７ａによりかしめ部材８０をかしめ用孔３０ａ及びかしめ用穴５０ａの内面により強固に止着することができる。さらに、鋲８２７ａがかしめ用孔３０ａ及びかしめ用穴５０ａの内面に止着されることで、当該かしめ部材１８０を回転させることも不可能となって、基板ボックス１２に対する不正をより適正に防止することができる。
【００９４】
なお、上記変形例２では、鋲８２７ａの形状を四角錐形状としたが、鋲８２７ａの形状はこれに限られるものではなく適宜任意に変更することができる。
【００９５】
また、本発明は、上記実施形態に限定されることなく、本発明の趣旨を逸脱しない範囲において、種々の改良並びに設計の変更を行っても良い。
例えば、上記実施形態では、制御装置として、遊技制御装置１０を例示したが、これに限られるものではなく、電子部品を搭載した制御基板を基板ボックスに収納した制御装置であれば如何なるものであっても良い。
【００９６】
また、上記実施形態及び変形例にあっては、止着拡開部８２３のピン８１の挿入方向前側の端部に前側壁面部８２６を設けるようにしたが、前側壁面部８２６を設けるか否かは適宜任意に変更することができる。
【００９７】
また、上記実施形態及び変形例にあっては、ピン８１の挿入方向後側の端部にピン拡開部８１２を設け、拡開部材８２の挿入方向後側の端部に係合凹部８２１ｂを設けるようにしたが、ピン拡開部８１２及び係合凹部８２１ｂを設けるか否かは適宜任意に変更することができる。
【００９８】
なお、本発明の遊技機１００は、遊技機として、実施の形態に示されるようなパチンコ遊技機に限られるものではなく、例えば、その他のパチンコ遊技機、アレンジボール遊技機、雀球遊技機、パチスロ遊技機などの制御基板を備える全ての遊技機に適用可能である。
【００９９】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【０１００】
【図１】本発明を適用した一実施形態の遊技機に備わる遊技盤の一部を示す背面図である。
【図２】図１の遊技盤に備わる遊技制御装置を示す斜視図である。
【図３】図２のIII−III線を含む平面で切断した状態を示す斜視図である。
【図４】図２の遊技制御装置からかしめ部材を取り外した状態を示す分解斜視図である。
【図５】図４のかしめ部材の拡開部材とピンを分離した状態を拡大して示す図である。
【図６】図５の拡開部材にピンの先端部を挿入した状態を拡大して示す図である。
【図７】図５の拡開部材にピンのほぼ全体を挿入した状態を拡大して示す図である。
【図８】図５の拡開部材にピンを完全に挿入した状態を拡大して示す図である。る。
【図９】拡開部材の変形例１を説明するための図である。
【図１０】変形例２の拡開部材に対するピンの挿入を説明するための図である。
【図１１】図１０の拡開部材に対するピンの挿入を説明するための図である。
【符号の説明】
【０１０１】
１００  遊技機
１０    遊技制御装置（制御装置）
１２    基板ボックス
２０    第１ボックス構成部材
３０    かしめ部
３０ａ  かしめ用孔
４０    第２ボックス構成部材
５０    かしめ受部
５０ａ  かしめ用穴
７０    固着部（かしめ手段）
８０、１８０  かしめ部材
８１    ピン
８１２  ピン拡開部
８２    拡開部材
８２１  ピン挿入穴
８２１ｂ  係合凹部（ピン拡開部係合部）
８２３  止着拡開部
８２５ａ、１８２５ａ  鍔
８２６  前側壁面部
８２７ａ  鋲
【図１】
0004653185.tif 000002
【図２】
0004653185.tif 000003
【図３】
0004653185.tif 000004
【図４】
0004653185.tif 000005
【図５】
0004653185.tif 000006
【図６】
0004653185.tif 000007
【図７】
0004653185.tif 000008
【図８】
0004653185.tif 000009
【図９】
0004653185.tif 000010
【図１０】
0004653185.tif 000011
【図１１】
0004653185.tif 000012